(57)【特許請求の範囲】
【請求項１】
少なくとも１つのデバイス構成要素（１４）とハウジングを含む医療用デバイスであって、ここでハウジングは少なくとも１つのデバイス構成要素（１４）を受け入れる本体（１１；３１；４１）を含み、ここでハウジングの本体（１１；３１；４１）は所定の閾値を上回る機械的衝撃に応答して柔軟に変形可能であり、ここで本体（１１；３１；４１）は本体（１１；３１；４１）の反対側の端部区画に位置する第１の端部部分（３２）および第２の端部部分（３６）を含み、そして第１の端部部分（３２）および第２の端部部分（３６）は第１と第２の端部部分（３２、３６）の間を延びる中央部分（３４）によって相互接続されており、ここで中央部分（３４）は機械的衝撃に応答して柔軟な変形挙動を示すハウジングの座屈または屈曲部分として役立ち、そして中央部分（３４）は外部から加えられる機械的負荷または衝撃を受けると、弾性的または可塑的に変形し、ここで中央部分（３４）は屈曲可能または変形可能なポリマー材料で作られ、そしてここで中央部分（３４）は第１と第２の端部（３２、３６）に比較して柔軟な変形性の増大した本体（１１、３１）の区域であり、ここで本体（１１）は締結アセンブリ（２６）を含み、ここで、デバイス構成要素（１４）は締結アセンブリ（２６）によって本体に取り付けられ、そしてデバイス構成要素は電子表示である、
上記の医療用デバイス。
【請求項２】
本体（１１；３１；４１）は弾性的または可塑的に変形可能である、請求項１に記載の医療用デバイス。
【請求項３】
本体（１１；３１；４１）は、異なる機械的剛性または硬さの少なくとも第１の層（４６）および第２の層（４４）を含む、請求項１または２に記載の医療用デバイス。
【請求項４】
第１の層（４６）は金属薄板を含み、第２の層（４４）はポリマー材料を含む、請求項３に記載の医療用デバイス。
【請求項５】
第２の層（４４）のポリマー材料は第１の層（４６）を完全に封入する、請求項４に記
載の医療用デバイス。
【請求項６】
ポリマー材料はＵＶ硬化性である、請求項１〜５のいずれか１項に記載の医療用デバイス。
【請求項７】
締結アセンブリ（２６）は、対応して形作られた挿入物（１５）を受け入れる少なくとも１つのレセプタクル（１８）を含み、レセプタクル（１８）と挿入物（１５）との間の中間空間は、弾性の減衰部材（２２）によって実質的に充填または裏打ちされる、請求項１〜６のいずれか１項に記載の医療用デバイス。
【請求項８】
挿入物（１５）およびレセプタクル（１８）はポジティブ係合可能である、請求項７に記載の医療用デバイス。
【請求項９】
薬物送達デバイス、注射デバイス、または分析デバイスを含む、請求項１〜８のいずれか１項に記載の医療用デバイス。
【請求項１０】
注射デバイスは薬剤が充填されたカートリッジを含む、請求項９に記載の医療用デバイス。
【発明の詳細な説明】
【技術分野】
【０００１】
本発明は、医療用デバイスの分野に関し、詳細には、デバイスおよびその構成要素を機械的衝撃から保護する衝撃吸収の機能を提供する、医療用デバイスのハウジングに関する。
【背景技術】
【０００２】
注射デバイスまたは分析デバイスなど、患者が自己治療を行うのに、特に薬剤の自己投与を行うのに用いられることがある、様々な可搬型医療用デバイスが存在する。
【０００３】
特に、糖尿病患者の場合、例えば血糖測定デバイス（ＢＧＭ）を利用することによって、血糖値を定期的に判定しなければならない。測定データおよび判定した血糖濃度に応じて、患者は次に、例えば注射によって、投与すべき薬剤の用量を個別に選択することができる。
【０００４】
診断および／または治療目的で、患者の分析および処置を行うための、多種多様な医療用デバイスが存在する。かかる医療用デバイスは、かなり壊れやすく機械的衝撃に対して敏感である場合がある。
【０００５】
一般に、医療用デバイスは、外的危険からの十分な保護を要する、様々な繊細な構成要素を含むことがある。可搬型または移動式医療用デバイスはまた、デバイスの様々な機能を構成、制御、および実施するのに用いることができる、多種多様な電子構成要素を含むことがある。それに加えて、かかるデバイスは、表示装置、操作ボタンおよびノブ、調整器、用量ダイヤルなど、様々な入力および／または出力手段を含むことがある。
【０００６】
さらに、医療用デバイスはまた、医療用デバイスの繰返し使用を監視し記録するのに用いることができる、記憶モジュールを含むことがある。また、医療用デバイスは、治療に関連するかまたはデバイス構成に関連するデータを、パーソナルコンピュータまたはスマートフォンなどの追加のデバイスと交換するのに用いることができる、インターフェースなどの通信モジュールを含むことがある。
【０００７】
かかる可搬型医療用デバイスの様々な構成要素は、機械的衝撃にかなり弱いことがあり、特定の閾値を上回る機械的衝撃に暴露されたとき、かかるデバイスの全体的な操作性に影響することがある。
【発明の概要】
【発明が解決しようとする課題】
【０００８】
したがって、本発明の１つの目的は、機械的衝撃に対するデバイスおよびその構成要素の堅牢性と感受性を向上させる、医療用デバイスのための改善されたハウジングを提供することである。特に、衝撃吸収または緩衝の機能を提供し、さらに、医療用デバイスの明確な衝撃または衝突挙動を提供することを目的とする。衝撃保護に関するこれらの改善は、ある程度単純かつコスト効率良く実現できるものであるべきである。
【課題を解決するための手段】
【０００９】
第１の態様では、少なくとも１つのデバイス構成要素を受け入れる本体を含む、医療用デバイス向けのハウジングが提供される。本体は、医療用デバイスの外部シェルとして役立ち、さらには医療用デバイスのハウジングを構成してもよい。本体は、所定の閾値を上回る機械的衝撃に応答して柔軟に変形可能である。このように、ハウジングの本体またはハウジング自体が、外部から加えられる力または衝撃を吸収してもよく、それが本体の柔軟な変形へと移行してもよい。
【００１０】
本体の柔軟な変形は、一般的に、衝撃が生じた場合に、例えば医療用デバイスが下に落ちて地面に当たったときに解放される、運動エネルギーおよび／または運動量の明確な吸収をもたらす。柔軟に変形可能な本体を提供することによって、ハウジングは、衝撃が生じた場合にデバイスに作用することがある、外部から加えられる力を吸収するように適合された、衝撃または衝突保護手段として役立つ。このように、デバイス構成要素のうち少なくともいくつかを、機械的衝撃およびそれぞれの外部から加えられる機械的力から有効に保護することができる。
【００１１】
衝撃または衝突のシナリオにおいて、少なくとも１つのデバイス構成要素に対して存在する機械的衝撃の大きさおよび／または持続時間は、衝撃の際に破損するか、亀裂が入るか、または付随する衝撃をそのハウジング全体にわたってある程度不変の形で伝えることがある、ある程度剛性および硬質のハウジングを特徴とする従来の医療用デバイスに比べて、有効に低減することができる。
【００１２】
さらに、ハウジングの柔軟に変形可能な本体を提供することにより、ハウジングは、機械的衝撃を受けたときであっても、ほぼ無傷のままであることができる。一般に、柔軟に変形可能な本体は、破損または亀裂形成の傾向が低減することを特徴とする。
【００１３】
柔軟に変形可能な本体は、衝撃またはそれと同等の機械的負荷の影響下で、その形状および／または幾何学形状が変わることがある。本体が作られる材料の種類に応じて、本体の形状の変化は恒久的または一時的であることがある。
【００１４】
好ましい一実施形態では、ハウジングの本体は、所定の閾値を上回る機械的衝撃に応答して弾性的または可塑的に変形可能である。ここで、本体全体またはその少なくとも一部分のどちらかが、弾性的または可塑的に変形可能である。さらに、本体の特定の部分が弾性的に変形可能であり、一方で本体の他の部分は実質的に可塑的に変形可能であることも想到される。本体の可塑的および柔軟に変形可能な部分は、本体を初期形状へと移行させることができる復元力を提供しないので、衝撃の際に、デバイスのユーザが視覚的または触覚的に検出することができる、本体の持続的な変形に結び付くことがある。
【００１５】
したがって、可塑的および柔軟に変形可能な本体の場合、ハウジング自体が、潜在的に危険および／または有害な事象に晒されていたことを直ちに示唆する。この場合、医療用デバイスの外観も深刻な影響を受けていることがあり、それにより、エンドユーザは、医療用デバイスをメンテナンスサービスに持ち込むように促される。
【００１６】
それとは対照的に、弾性的に変形可能なハウジング、またはハウジングの弾性的に変形可能な部分は、衝撃または衝突が生じた直後に特定の復元力を提供して、デバイスの外観が実質的に無傷のままであってもよい。
【００１７】
好ましい実施形態では、さらに、本体が弾性的ならびに可塑的に変形可能な性質を特徴とすることも想到される。例えば、機械的衝撃が所定の閾値未満である限り、本体は少なくとも区画単位で弾性的に変形可能な挙動を提供してもよい。前記閾値を上回ると、本体またはその区画の柔軟に変形可能な挙動は、可塑的変形によって支配されてもよく、それにより、デバイスおよび／または少なくともその構成要素が損傷しているかも知れず、あるいは少なくとも検査を要しているかも知れないことが示唆される。ここで、衝撃閾値は、前記閾値を下回る衝撃または衝突のシナリオが、通常は、デバイスおよび／またはその構成要素の誤動作もしくは損傷を誘発しないようにして選択することができる。しかし、衝撃で誘発される損傷または誤動作が起こり得る、前記閾値を上回った場合のみ、本体は可塑的変形挙動を、したがって持続性の変形挙動を示すことがある。
【００１８】
さらなる一実施形態では、本体は、少なくとも１つの予め定められた座屈または屈曲部分を含む。このように、本体およびハウジングの予め定められた屈曲または座屈挙動を提供することができる。特に、本体は、機械的衝撃またはそれと同等の外部から加えられる力に対して異なる明確な形で反応する、異なる材料で作られた異なる部分を含んでもよい。デバイス、その全体的な機能、その様々なデバイス構成要素の構造および／または配置に応じて、本体の選択された部分は、外部から加えられる力に対してある程度剛性で硬質な応答を特徴とすることがあり、一方で他の部分は、比較的柔軟で変形可能な挙動を示すことがある。
【００１９】
このように、本体および／またはハウジングの柔軟に変形可能な挙動を、医療用デバイスの様々な構成要素に対して局所的に適合させることができる。柔軟な変形性の増大した区域を有することによって、本体の一種の衝突または衝撃吸収区域を設けることができ、その一方である程度剛性で硬質な機械的挙動を特徴とする本体の他の部分は、例えば、その中に位置するデバイス構成要素の細長い構造を保護するのに役立ってもよい。医療用デバイスが、例えば薬剤が充填されたガラス製カートリッジを含む場合、カートリッジを受け入れて封入するハウジングの特定の部分は、中に位置するカートリッジを機械的衝撃または剪断力に露出させないために、限定された柔軟な変形挙動のみを提供するべきである。
【００２０】
別の実施形態によれば、本体は少なくとも区画単位で屈曲可能または変形可能なポリマー材料を含む。さらに、本体全体またはその区画はポリマー材料で作られてもよい。本体は、弾性的変形を主に提供するエラストマー材料も含んでもよい。複数の弾性的ポリマー材料の中で、ポリカーボネート、グリルアミドＴＲ−９０、熱可塑性ポリウレタン（ＴＰＵ）、酢酸セルロース、シリコーン、および／またはそれらの混合物などの、多数の寸法安定性材料が使用されてもよい。本体を形成する他の比較的軟質の材料は、様々な熱可塑性エラストマー（ＴＰＥ）、シリコーン、エチレンプロピレンジエンモノマーゴム（ＥＰＤＭゴム）、および／またはそれらの混合物を含んでもよい。
【００２１】
本体が作られる材料の特定の選択および構成は、医療用デバイスの総合的な性質および需要に応じて決まってもよい。したがって、本体の柔軟な変形は個別に適合されてもよく、異なる医療用デバイスおよびそれぞれのハウジングの中で変動してもよい。
【００２２】
さらなる一実施形態では、ハウジングの本体は少なくとも区画単位で多層構造を含む。さらに、本体全体が多層構造を含むことも想到される。多層構造は、少なくとも第１の層および第２の層を含み、第１および第２の層は、機械的剛性または硬さに関して異なる機械的性質を含む。したがって、第１および第２の層は、機械的衝撃に対して異なる程度の機械的抵抗を示す。特に、第１および第２の層は異なる柔軟な変形挙動を示す。
【００２３】
異なる材料の少なくとも２つの層を組み合わせることによって、本体の柔軟および変形可能な挙動は、それぞれの医療用デバイスの機械的需要にしたがって個別に適応させ修正することができる。特に、内側に面していてもよい第１の層は、ある程度剛性および／または硬質であってもよい。したがって、前記層は、柔軟な変形が生じるまで、機械的衝撃に関する比較的高い閾値を提供してもよい。例えば外側に面し、第１の層に相互接続または結合される第２の層は、比較的弾性で軟質の挙動を特徴としてもよく、したがって、第１の層の変形閾値を下回る機械的衝撃に応答して、実質的に弾性的に変形する傾向であってもよい。
【００２４】
このように、第１の外層は、機械的減衰および／または懸架効果を提供してもよく、一方で第２の層は、本体および／またはハウジングに対して明確な剛性および硬さを提供してもよい。損傷を与える閾値を上回る機械的衝撃が生じた場合にのみ、本体の第１の層が、例えば可塑的変形に晒されるようにしてもよい。
【００２５】
さらなる一実施形態では、第１の層は金属薄板を含み、一方で、好ましくは第１の層と接合される第２の層は、第１の層が作られる材料よりも高い弾性を示すポリマー材料を含む。所定の閾値を上回る機械的衝撃を受けたときに可塑的変形挙動を示すことがある金属薄板の代わりに、幾何学的に安定した幾何学形状および相当の変形挙動を示す、それと同等のポリマー材料も第１の層として使用されてもよい。
【００２６】
さらに、多層構造は、二層のみに限定されず、可変の異なる厚さの３つ以上の層も含んでもよく、それらはさらに異なる材料を含んでもよい。
【００２７】
さらなる一実施形態では、第２の層のポリマー材料は、第１の層を完全に封入するか、または実質的に密閉する。このように、第１の層は、医療用デバイスのハウジングの外観に実質的に寄与しない。その代わりに、第２の層は保護用として、例えば衝突もしくは衝撃吸収性のカバーまたはコーティングとして役立ってもよい。一般に、本体の多層構造の少なくとも１つの層は、一成分もしくは多成分の射出成形、および／または被覆によって製造されることが想到される。
【００２８】
さらなる一実施形態によれば、本体および／または本体の少なくとも一層のポリマー材料は、最初は液状であるが、例えばＵＶ照射によって硬化性である材料で作られる。したがって、本体および／またはその少なくとも一層は、予形成された本体を、実質的に液状または粘性のポリマー材料が充填された容器に浸漬し、その後、被覆されたポリマー材料を、ＵＶ照射を用いて硬化することによって形成されてもよい。硬化後、シリコーンなどのポリマー材料は、幾何学的に安定性であってもよいが、弾性的または可塑的に柔軟な変形挙動を依然として示してもよい。
【００２９】
別の態様では、ハウジングの本体は、少なくとも１つのデバイス構成要素を本体に取り付ける少なくとも１つの締結アセンブリをさらに含む。一般的に、本体は、少なくとも１つもしくは複数のデバイス構成要素を締結および／または結合することができる、医療用デバイスのハウジングもしくはそれと同等の支持構造の側壁を形成するか、またはそれを含む。本体自体は柔軟に変形可能なので、本体に個別に結合されるデバイス構成要素は、相互に連結している本体によって衝突または衝撃吸収の機能が本質的にもたらされることから、機械的衝撃に対して有効に減衰することができる。
【００３０】
さらに、本体が選択されたデバイス構成要素間の部分において柔軟に変形可能であるとき、前記構成要素は衝撃が生じた場合に相対的な動きに晒されるようになることがある。このように、また機械的衝撃が生じた場合、本体は、互いに対するデバイス構成要素の回避的な動きを提供し、それによって、特定のデバイス構成要素を過度な機械的負荷から保護してもよい。
【００３１】
さらなる態様では、締結アセンブリは、対応して形作られた挿入物を受け入れる少なくとも１つのレセプタクルを含む。好ましくは、デバイス構成要素の挿入物を受け入れるレセプタクルを含むのは、ハウジングの本体である。しかし、挿入物がハウジングの本体によって提供され、一方でデバイス構成要素がそれに対応して形作られたレセプタクルを含むことも想到される。
【００３２】
さらに、締結アセンブリのレセプタクルと挿入物との間の中間空間は、弾性の減衰部材によって実質的に充填または裏打ちされる。このように、デバイス構成要素またはハウジングの挿入物は、本体またはデバイス構成要素のレセプタクルと間接的にのみ、減衰された機械的係合状態にある。事実上、弾性の減衰部材は、医療用デバイスのハウジングの本体に対する少なくとも１つのデバイス構成要素の緩衝性の締結を提供するのに役立つ。衝撃が生じた場合、ハウジングおよび本体に対して存在する機械的負荷は、弱められ、または減衰された形でのみそれぞれのデバイス構成要素に伝わってもよい。
【００３３】
さらなる好ましい一実施形態では、締結アセンブリの挿入物およびレセプタクルはポジティブ係合するように適合される。本体の製造に応じて、本体の製造中であっても挿入物およびレセプタクルのポジティブ係合が確立されてもよい。したがって、医療用デバイス構成要素の挿入物は、プリフォームまたは型の所定の場所に位置してもよく、次に、本体の製造中にその材料によってオーバーモールドまたは密閉されてもよい。
【００３４】
別の方法として、デバイス構成要素の挿入物およびレセプタクルならびに本体は、別個に製造されてもよく、別個の組立て工程で相互に組み立てられてもよい。
【００３５】
別の態様では、本発明はまた、上述のような少なくとも１つのデバイス構成要素およびハウジングを含む医療用デバイスに関する。
【００３６】
さらに、好ましい実施形態では、医療用デバイスは、薬物送達デバイスを、特にペン型注射器などの注射デバイスを含む。あるいは、医療用デバイスは、血糖モニタリングデバイスなどの分析デバイスを含んでもよい。
【００３７】
さらに、またさらなる一実施形態によれば、薬物送達デバイス、特に注射デバイスは、好ましくは注射によって、患者に投与または送達されるべき薬剤が充填されたガラス製容器を含んでもよい、少なくとも１つのカートリッジ、アンプル、またはカルプルをさらに含む。
【００３８】
さらに別の独立した態様では、本発明は、医療用デバイスのハウジングを製造する方法に関する。前記方法は、少なくとも１つのデバイス構成要素をプリフォームまたは型の所定の場所に配置する工程と、ハウジングの本体を少なくとも部分的にデバイス構成要素の周り、および／またはその挿入物の周りに成形して、本体とデバイス構成要素とのポジティブ係合を確立する工程とを含む。ここで、デバイス構成要素が、本体の成形プロセス中にその大部分に少なくとも部分的に埋め込まれる付属物または突出部を含むのが、特に有益である。
【００３９】
デバイス構成要素が、変形可能な材料で少なくとも部分的に外装または封入された挿入物を含み、それによって弾性の減衰部材を形成するのが、特に有益である。その結果、デバイスの挿入物は、ハウジングの本体と直接ではなく、機械的に減衰または懸架された形でのみ接触することになる。
【００４０】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００４１】
インスリン類似体は、例えば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００４２】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００４３】
エキセンジン−４は、例えば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００４４】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００４５】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００４６】
ホルモンは、例えば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００４７】
多糖類としては、例えば、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩がある。ポリ硫酸化低分子量ヘパリンの薬学的に許容される塩の例としては、エノキサパリンナトリウムがある。
【００４８】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００４９】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（例えば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００５０】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００５１】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリンドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００５２】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００５３】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００５４】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００５５】
薬学的に許容される塩は、例えば、酸付加塩および塩基性塩である。酸付加塩としては、例えば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００５６】
薬学的に許容される溶媒和物は、たとえば、水和物である。
【００５７】
本発明の趣旨および範囲から逸脱することなく、本発明を様々に修正および変形できることが、当業者にはさらに明白となるであろう。さらに、添付の請求項で使用されるあらゆる参照符号は、本発明の範囲を限定するものとして見なすべきでないことに留意されたい。
【００５８】
以下、本発明の好ましい実施形態について図面を参照して記載する。
【図面の簡単な説明】
【００５９】
【図１】衝撃が生じる前および後の流れにおける医療用デバイスを示す概略図である。
【図２】少なくとも１つのデバイス構成要素を医療用デバイスのハウジングの本体に締結する締結アセンブリを示す概略図である。
【図３ａ】衝撃が生じる前の変形区域を含む薬物送達デバイスのハウジングを示す概略図である。
【図３ｂ】衝撃が生じた後の図３ａによるハウジングを示す図である。
【図４】医療用デバイスのハウジングの多層構造を示す概略図である。
【発明を実施するための形態】
【００６０】
図１では、衝撃が生じる前および後の医療用デバイスの単純化された概略図が提供される。医療用デバイスは、細長い形状またはロッド状の形状のハウジング１０を含む。ハウジング１０およびそれぞれの医療用デバイスは、例えば、ペン型注射器などの薬物送達デバイスを含んでもよい。
【００６１】
図１の右側に示されているように、ハウジング１０は、ハウジング１０が地面１に当たったときに、その幾何学形状の柔軟な変形およびそれぞれの変化を起こす本体１１を含む。地面１に落ちた場合、例えば重力の影響下で地面１に当たったとき、ハウジング１０およびその本体１１は、所定の閾値を上回る機械的負荷および／または衝撃を経験して、本体１１’およびハウジング１０’が柔軟に変形したままになることがあり、それにより、衝撃または衝突エネルギーをハウジング１０’および本体１１’それぞれの幾何学的変形に移行させることができる。このように、衝撃に誘発されて解放された機械的エネルギーを、本体１１’によって少なくとも部分的に吸収することができる。結果として、この図に明示的に例証されていない医療用デバイスの特定の構成要素１４を、機械的衝撃から有効に保護することができる。
【００６２】
したがって、医療用デバイスのハウジング１０の明確な、または予め定められた柔軟な変形挙動を提供することができ、それによって、ある程度繊細なデバイス構成要素を機械的衝撃から有効に保護することができる。
【００６３】
かかるデバイス構成要素は、例えば、表示要素、通信モジュール、または薬剤が充填されたカートリッジを含んでもよい。緩衝の機能または衝撃吸収の機能を提供することによって、かかるデバイス構成要素１４を有効に保護することができ、デバイスが破壊されるかまたは衝撃の発生によって実質的に動作不能なときであっても、さらに有用であってもよい。通信モジュール、記憶モジュール、処理モジュール、および／または表示装置などの電子デバイス構成要素を保護することによって、医療処置に関するデータまたはそれと同等の情報が、依然としてデバイスから取得され読み出されてもよい。例えば、医療用デバイスの他の構成要素、例えば注射機構が実質的に動作不能になったときであっても、デバイスの適用履歴が依然として取得されてもよい。
【００６４】
ハウジングの本体全体は、柔軟に変形可能な材料によって、特に単層もしくは多層構成の特定のポリマー材料によって、被覆されるかまたは取り囲まれてもよい。しかし、本体１１およびハウジング１０は、機械的または電子的に実装されてもよい、操作手段などの特定のデバイス構成要素に対するアクセスを提供するために、少なくとも１つまたは複数の貫通開口部を含んでもよい。例えばボタン、ダイヤルなど形態の、かかる操作手段もまた、柔軟な変形挙動を示してもよい。また、本体の少なくとも１つの開口部内に位置してもよく、またはそこを通って延びてもよい表示要素も、特定の柔軟性を示し提供してもよい。かかる柔軟な表示要素は、特に、有機発光ダイオード（ＯＬＥＤ）に基づいてもよい。
【００６５】
例えば図３ａにさらに示されているように、医療用デバイスのハウジング３０は、本体３１の異なる反対側の端部区画に位置する第１の端部部分３２および第２の端部部分３６を特徴とする、本体３１を含んでもよい。２つの端部部分３２、３６は、２つの端部部分３２、３６の間を延びる中央部分３４によって相互接続される。ここで、少なくとも中央部分３４は、機械的衝撃に応答して明確な柔軟な変形挙動を示す。したがって、中央部分３４は、ハウジング３０の一種の座屈または屈曲部分として役立つ。図３ｂに示されているように、中央部分３４’は、外部から加えられる機械的負荷または衝撃を受けると、可塑的に変形してもよい。
【００６６】
図３ｂによる幾何学的に変化したハウジング３０’の図の代わりに、中央部分３４が弾性的に変形可能であり、それによって、衝撃が生じた後であっても、ハウジング３０の初期の形状および幾何学形状に復帰することも想到される。
【００６７】
図４では、本体４１を特徴とする別のハウジング４０が区画単位でのみ示されている。ここで、本体４１の側壁４２は、外層４４および内層４６を備えた多層構造を含む断面で示されている。したがって、外層４４は、本体４１の外表面を形成するとともに外側４８に面し、一方で内層４６は、医療用デバイスのハウジング４０の内側５０に向かって面する。２つの層４４、４６は厚さが異なり、異なる機械的変形挙動および柔軟な変形挙動を示す異なる材料を含んでもよい。
【００６８】
内層４６は、例えば、比較的大きい衝撃閾値を上回ると実質的に可塑的に変形可能である金属薄板を含んでもよい。外層４４は、熱可塑性エラストマーなど、比較的軟質で弾性的に変形可能な材料を含んでもよい。このように、外層４４は、所定の閾値未満の衝撃が生じたことに対して緩衝および衝撃吸収の挙動を提供してもよく、一方で内層４６は、比較的大きい機械的負荷およびそれぞれの機械的衝撃下で、吸収および変形するのに役立つ。
【００６９】
図２では、耐衝突性または衝撃減衰型の締結アセンブリ２６が断面で概略的に示され、それにより、少なくとも１つのデバイス構成要素１４を、医療用デバイスのハウジング１０の側壁１２に、またはそれと同等の支持構造に取り付けることができる。締結アセンブリ２６は、本体１１の側壁１２に位置するレセプタクル１８を含む。締結アセンブリ２６は、デバイス構成要素１４の付属物に、または突出部分に設けられる挿入物１５をさらに含む。レセプタクル１８は、デバイス構成要素１４の挿入物１５の自由端にあるフランジ状部分２０を受け入れるように適合される。したがって、フランジ状部分２０は、レセプタクル１８の首部分またはオリフィス１６を通って延びる挿入物１５の軸部分２４の自由端に設けられる。
【００７０】
オリフィス１６は、デバイス構成要素１４の軸部分２４よりも大幅に大きいが、デバイス構成要素１４のフランジ状部分２０の径方向延長部よりは小さい直径を含む。このように、締結アセンブリ２６は、デバイス構成要素１４と本体１１の側壁１２のレセプタクル１８とのポジティブ係合を提供する。
【００７１】
軸部分２４、フランジ状部分２０、およびレセプタクル１８の側壁の間の中間空間は、好ましくは、弾性の減衰部材２２で充填または裏打ちされる。このように、デバイス構成要素１４および本体１１の緩衝性のサスペンション状の締結を得ることができる。デバイス構成要素１４、その軸部分２４、ならびにフランジ状部分２０は、ある程度剛性または硬質の構成を含んでもよい。弾性の減衰部材２２によって、本体１１に全体的に突き当たる際の機械的衝撃および機械的負荷は、減衰され弱められた形でデバイス構成要素１４に伝わる。
【００７２】
デバイス構成要素１４とレセプタクル１８とのポジティブ係合は、本体１１の形成前に、プリフォームまたは型内の特定の場所にデバイス構成要素１４を位置させることによって得ることができる。フランジ状部分２０は、弾性部材２２で外装および／または被覆されてもよく、最終形成プロセスでは、本体１１は、デバイス構成要素１４の挿入物１５のフランジ状部分２０の周りに成形、例えば射出成形されてもよい。
【００７３】
他の組立て方法としては、フランジ状部分２０が非円形の形状であるもの、およびオリフィス１６が選択された方向でそれに対応する形状を含むものを含んでもよい。その結果、デバイス構成要素１４の軸２４は、所定の向きでフランジ状部分とともにオリフィス１６に入り、そこを通って延びてもよい。フランジ状部分２０が径方向に拡幅したレセプタクル１８の内部に位置すると、軸部分２４を回転軸としてその周りで回転および旋回させ、それによって図２に示されているようなポジティブインターロック構成を確立してもよい。
【符号の説明】
【００７４】
１  地面
１０  ハウジング
１１  本体
１２  側壁
１４  デバイス構成要素
１５  挿入物
１６  オリフィス
１８  レセプタクル
２０  フランジ状部分
２２  弾性部材
２４  軸部分
２６  締結アセンブリ
３０  ハウジング
３１  本体
３２  端部部分
３４  中央部分
３６  端部部分
４０  ハウジング
４１  本体
４２  側壁
４４  層
４６  層
４８  外側
５０  内側
【図１】
0006796924.tif 000002
【図２】
0006796924.tif 000003
【図３ａ】
0006796924.tif 000004
【図３ｂ】
0006796924.tif 000005
【図４】
0006796924.tif 000006